(57)【要約】【課題】  ユーザが所定の画像または画像の一部を送信先の表示装置で表示させないよう制御可能な画像送信装置または画像送信方法を提供する。【解決手段】  過去の画像データを記憶可能に構成された画像データバッファ（１３０）と、前記画像データバッファに記憶された過去の画像データのうち、前記表示部に表示されている画像データより所定時間過去の画像データを送信するよう制御可能に構成された画像データ送信制御部（制御部１００）と、前記画像データを外部機器（表示装置２０）に送信可能に構成されたデータ送信部（１１０）と、を備え、前記画像データ送信制御部（制御部１００）は、ユーザによる第１操作を検出したときに前記画像データの送信を停止可能に構成された（Ｓ５２２）ことを特徴とする画像送信装置（携帯端末１０）を提供する。【選択図】  図２
2016012816.tif 000002
【特許請求の範囲】
【請求項１】
画像を表示可能に構成された表示部に表示された画像データであって、過去の画像データを記憶可能に構成された画像データバッファと、
前記画像データバッファに記憶された過去の画像データのうち、前記表示部に表示されている画像データより所定時間過去の画像データを送信するよう制御可能に構成された画像データ送信制御部と、
前記画像データを外部機器に送信可能に構成されたデータ送信部と、を備え、
前記画像データ送信制御部は、ユーザによる第１操作を検出したときに前記画像データの送信を停止可能に構成された
ことを特徴とする画像送信装置。
【請求項２】
前記画像データ送信制御部は、前記画像データの送信が停止された状態でユーザによる第２操作を検出したときに、該第２操作を検出したタイミング以降の前記画像データの送信を再開可能に構成された
ことを特徴とする請求項１に記載の画像送信装置。
【請求項３】
前記第１操作が検出されたタイミングから前記第２操作が検出されたタイミングの間に、ユーザによる操作に基づく前記画像データに対する画像加工を実行可能に構成された画像加工制御部をさらに備える、
ことを特徴とする請求項２に記載の画像送信装置。
【請求項４】
画像を表示可能に構成された表示部に表示された画像データであって、過去の画像データを記憶する第１ステップと、
前記記憶された過去の画像データのうち、前記表示部に表示されている画像データより所定時間過去の画像データを外部機器に送信する第２ステップと、
ユーザによる第１操作を検出したときに前記画像データの送信を停止する第３ステップと、を含む
ことを特徴とする画像送信方法。
【発明の詳細な説明】
【技術分野】
【０００１】
本発明の一態様は、映像を送信して、受信機である表示装置に該装置と同じ画像を表示する画像送信装置などに関する。
【背景技術】
【０００２】
近年、スマートフォンやタブレットなどの情報処理装置に表示された画像を受信機である表示装置に送信し、送信側の情報処理装置と同じ画像を受信側の表示装置に表示する技術が採用されている。これにより、比較的表示画面が小さな情報処理装置の画面を、テレビやモニターなどの大きな画面に表示することができる。しかしながら、情報処理装置に表示された画像を表示装置に表示し、複数人で視聴しているとき、画面上に、ユーザ以外の人には見せたくない部分がある場合や、ユーザ以外の人に注目してほしい部分がある場合がある。このようなケースに対応するものとして、特許文献１乃至３には、受信側の表示装置にパスワード入力の画面を表示することを抑制する技術について開示されている。
【先行技術文献】
【特許文献】
【０００３】
【特許文献１】特開２００５−２８４３７５号公報
【特許文献２】特開２００９−２５９１５３号公報
【特許文献３】特開２０１２−２３８１０１号公報
【発明の概要】
【発明が解決しようとする課題】
【０００４】
しかしながら、上記従来の技術では、パスワード入力の画面などの特定の画面以外については、無条件に表示装置に表示されており、一旦表示装置に表示されてしまった場合、ユーザが見せたくない画面をユーザ以外の人に見られてしまうことがあった。また、パスワード入力の画面以外のユーザが特定する画面上の部分を表示装置で表示させないよう制御することについては対応できていなかった。
【課題を解決するための手段】
【０００５】
本発明は、上記課題を解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００６】
本発明の手段１は、
画像を表示可能に構成された表示部（１２０）に表示された画像データであって、過去の画像データを記憶可能に構成された画像データバッファ（１３０）と、
前記画像データバッファに記憶された過去の画像データのうち、前記表示部に表示されている画像データより所定時間過去の画像データを送信するよう制御可能に構成された画像データ送信制御部（制御部１００）と、
前記画像データを外部機器（表示装置２０）に送信可能に構成されたデータ送信部（１１０）と、を備え、
前記画像データ送信制御部（制御部１００）は、ユーザによる第１操作を検出したときに前記画像データの送信を停止可能に構成された（Ｓ５２２）
ことを特徴とする画像送信装置（携帯端末１０）である。
【０００７】
また、本発明の手段４は、
画像を表示可能に構成された表示部（１２０）に表示された画像データであって、過去の画像データを記憶する第１ステップ（Ｓ５２１）と、
前記記憶された過去の画像データのうち、前記表示部に表示されている画像データより所定時間過去の画像データを外部機器（表示装置２０）に送信する第２ステップ（Ｓ５２１）と、
ユーザによる第１操作を検出したときに前記画像データの送信を停止する第３ステップと（Ｓ５２２）、を含む
ことを特徴とする画像送信方法である。
【０００８】
上記構成の画像送信装置または画像送信方法によれば、外部機器（表示装置２０）に表示される画面は表示部（１２０）に表示された過去の画像データであり、表示部（１２０）に表示された他人に見せたくない画像を、ユーザ操作によって外部機器に送信しないよう制御することが可能となる。
【０００９】
本発明の手段２は、
前記画像データ送信制御部（制御部１００）は、前記画像データの送信が停止された状態でユーザによる第２操作を検出したときに、該第２操作を検出したタイミング以降の前記画像データの送信を再開可能に構成された（Ｓ５６０）
ことを特徴とする手段１の画像送信装置である。
【００１０】
上記構成の画像送信装置によれば、ユーザ操作によって、表示部（１２０）に表示された一定期間の画像だけを外部機器に送信しないよう制御することが可能となる。
【００１１】
本発明の手段３は、
前記第１操作が検出されたタイミング（Ｓ５２２）から前記第２操作が検出されたタイミング（Ｓ５６０）の間に、ユーザによる操作に基づく前記画像データに対する画像加工（Ｓ５３０〜Ｓ５５０）を実行可能に構成された画像加工制御部（制御部１００）をさらに備える、
ことを特徴とする手段２の画像送信装置である。
【００１２】
上記構成の画像送信装置によれば、ユーザによる画像加工が可能となり、表示部（１２０）に表示された画像の所定の部分を塗りつぶすなどの画像加工が行われた後の画像を外部機器（表示装置２０）に送信することが可能となる。
【図面の簡単な説明】
【００１３】
【図１】画像送受信システムの構成例を示す図。
【図２】ミラーリング処理の具体例を示すフローチャート。
【図３】表示装置と携帯端末での画面表示の具体例を示す図。
【図４】表示装置と携帯端末での画面表示の具体例を示す図。
【発明を実施するための形態】
【００１４】
本発明に係る実施形態について、以下の構成に従って図面を参照しながら具体的に説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態
（１）画像送受信システムの構成例
（２）ミラーリング処理の具体例
２．補足事項
３．本発明の特徴
【００１５】
＜１．実施形態＞
まず、本実施形態の画像送受信システムは、スマートフォンに表示された画像と同じ内容の画像をテレビなどの大画面に表示する、所謂ミラーリング技術などに関連する。特に本実施形態では、従来の単純なミラーリング処理を行うのではなく、スマートフォンからテレビに対して送信する画像の送信タイミングを調整することなどをその特徴としている。
【００１６】
ここで、本発明の実施形態について、図１乃至図４を参照しながら説明する。
【００１７】
＜（１）映像送受信システムの構成例＞
図１は、本実施形態の画像送受信システムの構成例を示す図である。図１に示すように、本実施形態の画像送受信システムは、携帯端末１０と表示装置２０とを含んで構成される。
【００１８】
＜携帯端末１０＞
携帯端末１０は、制御部１００、データ送信部１１０、表示部１２０、画像データバッファ１３０、及び操作検出部１４０を含んで構成される。携帯端末１０は、スマートフォンまたはタブレット機器のような情報処理装置である。また、携帯端末１０として、例えばノート型のＰＣ（Ｐｅｒｓｏｎａｌ  Ｃｏｍｐｕｔｅｒ）や携帯電話などを利用することもできる。
【００１９】
＜制御部１００＞
制御部１００は、携帯端末１０における種々の処理を実行可能に構成された中央処理装置であり、データ送信部１１０、表示部１２０、画像データバッファ１３０、及び操作検出部１４０をそれぞれ制御可能に構成される。制御部１００は、操作検出部１４０が検出したユーザによる操作に基づいて、データ送信部１１０、表示部１２０、及び画像データバッファ１３０をそれぞれ制御可能に構成される。
【００２０】
制御部１００は、携帯端末１０で実行中のアプリケーションソフトの実行結果に基づく画像（映像を含む）を表示部１２０に表示するよう制御可能に構成される。このとき、制御部１００は、表示部１２０に表示させた画像または表示させる画像の画像データを、画像データバッファ１３０に一時的に記憶させるよう制御可能に構成される。
【００２１】
制御部１００は、ユーザにより設定された画像送信モードに応じて、表示部１２０に表示された画像、または画像データバッファ１３０に記憶された画像の画像データを、データ送信部１１０から表示装置２０に送信するよう制御可能に構成される。より具体的には、画像送信モードが遅延送信モードである場合には、制御部１００は、画像データバッファ１３０に記憶された過去の画像データを送信するよう、画像データバッファ１３０及びデータ送信部１１０を制御する。一方で、画像送信モードが通常モードである場合には、制御部１００は、表示部１２０に表示された画像を送信するよう、画像データバッファ１３０及びデータ送信部１１０を制御する。このとき、制御部１００は、表示部１２０に表示された画像を所定のフォーマットに符号化し、符号化された画像データをデータ送信部１１０から送信するよう制御する。
【００２２】
制御部１００は、操作検出部１４０により検出されたユーザによる操作に基づいて、所定の処理を実行可能に構成される。特に本実施形態では、制御部１００は、ユーザによる画像送信の停止操作が検出されたとき、データ送信部１１０から表示装置２０に対する画像データの送信を停止するよう制御可能に構成される。また、この画像データの送信停止制御の後に、ユーザによる画像送信の再開操作が検出されたとき、データ送信部１１０から表示装置２０に対する画像データの送信を再開するよう制御可能に構成される。
【００２３】
さらに、制御部１００は、ユーザによる画像送信の停止操作が検出されたときに画像加工モードに移行し、ユーザ操作による、表示部１２０に表示された画像に対する画像加工を実行可能な状態にするよう制御可能に構成される。画像加工モードでは、制御部１００は、表示部１２０に画像加工用操作パネルを表示するよう制御する。ユーザによる画像加工用操作パネル及びタッチパネルとして機能する表示部１２０に対する操作を検出したら、制御部１００は、表示部１２０に表示する画像の内容を変更するよう制御する。制御部１００は、ここで加工された画像の画像データを画像データバッファ１３０に記憶させ、またはデータ送信部１１０から送信するよう制御可能に構成される。
【００２４】
＜データ送信部１１０＞
データ送信部１１０は、制御部１００の制御により、画像データを表示装置２０に対して有線または無線で送信可能に構成される。上記のとおり、データ送信部１１０から送信される画像データは、制御部１００の制御により、表示部１２０に表示された画像のデータ、または画像データバッファ１３０に記憶された画像データのいずれかが選択される。データ送信部１１０から送信される画像データは、制御部１００によって符号化された画像データである。
【００２５】
＜表示部１２０＞
表示部１２０は、例えばＬＣＤまたは有機ＥＬディスプレイなどで構成され、制御部１００の制御により所定の画像（映像を含む）を、ユーザが視認可能な状態で表示可能に構成される。また、表示部１２０にはタッチパネルが一体形成されている。表示部１２０のタッチパネルに対するユーザによる操作は、操作検出部１４０により検出し処理される。画像送信モードが通常モードである場合には、表示部１２０に表示された画像は、制御部１００によって符号化され、データ送信部１１０から表示装置２０に送信される。画像送信モードが遅延送信モードである場合には、表示部１２０に表示された画像は、制御部１００の制御により画像データバッファ１３０に一旦記憶される。
【００２６】
＜画像データバッファ１３０＞
画像データバッファ１３０は、表示部１２０に表示された画像の画像データを、所定の時間分、記憶可能に構成される。画像データバッファ１３０に記憶される画像データは、例えば５秒分の画像データである。画像データバッファ１３０には、画像送信モードが遅延送信モードである場合のみ画像データが記憶される。画像送信モードが遅延送信モードである場合において、制御部１００は、画像データバッファ１３０に記憶された、表示部１２０に表示された過去の画像データのうち、最も古い画像データを送信するよう制御する。画像データバッファ１３０は、制御部１００の制御により、送信した画像データを消去可能に構成される。なお、画像データバッファ１３０には、符号化される前の画像データが記憶されてもよいし、符号化された画像データが記憶されてもよい。画像データバッファ１３０に、符号化された後の画像データが記憶される場合、画像データバッファ１３０の記憶領域を小さくすることが可能であるため好ましい。また、符号化前の画像データが画像データバッファ１３０に記憶されているときは、制御部１００は、表示装置２０に画像データを送信する前に符号化処理を実行する。
【００２７】
＜操作検出部１４０＞
操作検出部１４０は、ユーザによる操作を検出し、検出したユーザによる操作に対応する情報を制御部１００に出力可能に構成される。操作検出部１４０は、携帯端末１０に設けられた物理キー、及び表示部１２０に含まれるタッチパネルに対するユーザの操作を検出可能に構成される。なお、携帯端末１０は、物理キー及びタッチパネルの少なくとも１つの操作手段を含んで構成される。
【００２８】
＜表示装置２０＞
表示装置２０は、制御部２００、データ受信部２１０、及び表示部２２０を含んで構成される。表示装置２０は、テレビまたはモニターのような、携帯端末１０の外部に接続された別構成の表示装置である。
【００２９】
＜制御部２００＞
制御部２００は、表示装置２０における種々の処理を実行可能に構成された中央処理装置であり、データ受信部２１０、及び表示部２２０をそれぞれ制御可能に構成される。特に本実施形態では、制御部２００は、データ受信部２１０が受信した携帯端末１０から送信された画像データに基づいて、表示部２２０に表示される画像を制御可能に構成される。
【００３０】
制御部２００は、データ受信部２１０が受信した、携帯端末１０のデータ送信部１１０から送信された符号化された画像データを復号処理し、表示部２２０に復号された画像を表示可能に構成される。
【００３１】
＜データ受信部２１０＞
データ受信部２１０は、携帯端末１０のデータ送信部１１０からデータを受信可能に構成される。データ受信部２１０によって受信された画像データは、上記のとおり制御部１００によって処理され表示部２２０に表示される。
【００３２】
＜表示部２２０＞
表示部２２０は、例えばＬＣＤまたは有機ＥＬディスプレイなどで構成され、制御部２００の表示制御により所定の画像（映像を含む）を、ユーザが視認可能な状態で表示可能に構成される。この表示部２２０は、携帯端末１０の表示部１２０より大きいことが好ましい。
【００３３】
＜（２）ミラーリング処理の具体例＞
次に、図２乃至図４を参照しながら、本実施形態の画像送受信システムにおけるミラーリング処理について具体的に説明する。
【００３４】
図２は、本実施形態のミラーリング処理を示すフローチャートである。
【００３５】
＜Ｓ５００〜Ｓ５１０＞
ユーザが携帯端末１０を操作して、携帯端末１０の表示部１２０に表示された画像と同じ画像を表示装置２０に表示するためのミラーリング処理が開始されると（Ｓ５００）、制御部１００は、まず、画像送信モードが遅延送信モードであるか否かを確認する（Ｓ５１０）。なお、画像送信モードについては、ユーザまたは出荷時設定などにより予め設定されている。
【００３６】
＜Ｓ５２０＞
まず、画像送信モードが遅延送信モードではない通常モードである場合について説明する。画像送信モードが遅延送信モードではない通常モードであった場合（Ｓ５１０でＮ）、制御部１００は、表示部１２０に表示された画像を符号化する処理を行い、符号化された画像データを表示装置２０に送信するようデータ送信部１１０を制御する。表示装置２０では、データ受信部２１０が受信した画像データを制御部２００が復号処理し、携帯端末１０の表示部１２０に表示された画像と同じ画像が表示装置２０の表示部２２０に表示される。ここでは、携帯端末１０の表示部１２０に表示された画像は、逐次、表示装置２０に送信されるため、表示装置２０の表示部２２０に表示される画像は、携帯端末１０の表示部１２０に表示された画像から少し遅延した画像が表示される。この表示画像の遅延は、画像データの符号化、送受信、及び復号化に要する時間により決定される。
【００３７】
＜Ｓ５３０〜Ｓ５５０＞
次に、ユーザの操作により画像加工モードが選択されると、制御部１００は、表示部１２０に画像加工用操作パネルを表示する（Ｓ５３０）。操作検出部１４０は、画像加工用操作パネル及びタッチパネルに対するユーザの操作を検出し、この操作に対応する情報を制御部１００に出力する。制御部１００は、ユーザの操作に対応して表示部１２０に表示された画像を変更するよう制御する（Ｓ５４０）。そして、ユーザの操作により画像加工モードの終了が選択されると、制御部１００は、表示部１２０に表示されていた画像加工用操作パネルを非表示にする（Ｓ５５０）。このとき、制御部１００は、ユーザによって加工操作された結果の画像を表示部１２０に表示し、この表示部１２０に表示されるユーザによって加工された画像に対応する画像データを、データ送信部１１０から送信するよう制御する。
【００３８】
＜Ｓ６００＞
そして、ユーザが携帯端末１０を操作してミラーリング処理を終了すると、制御部１００はデータ送信部１１０から表示装置２０に対する画像データの送信を終了する（Ｓ６００）。
【００３９】
＜Ｓ５２１＞
次に、画像送信モードが遅延送信モードである場合について説明する。画像送信モードが遅延送信モードではない通常モードであった場合（Ｓ５１０でＹ）、制御部１００は、表示部１２０に表示された画像を符号化する処理を行い、符号化された画像データを一時的に画像データバッファ１３０に記憶させるよう制御する。そして、制御部１００は、画像データバッファ１３０に記憶された画像データが一定時間（例えば５秒間）蓄積されると、この画像データバッファ１３０に記憶された画像データのうち最も古い画像データを表示装置２０に送信するようデータ送信部１１０を制御する（Ｓ５２１）。表示装置２０では、データ受信部２１０が受信した画像データを制御部２００が復号処理し、携帯端末１０の表示部１２０に表示された画像から一定時間（例えば５秒間）遅延した画像が表示装置２０の表示部２２０に表示される。
【００４０】
図３は、表示装置２０と携帯端末１０とのそれぞれに表示される画像の一例を示す図である。図３の左側には表示装置２０の表示画像が、図３の右側には携帯端末１０の表示画像が、それぞれ示されている。図３に示されるように、携帯端末１０で表示された画像は、例えば５秒間遅延して、表示装置２０に表示されるよう処理される。
【００４１】
＜Ｓ５２２＞
次に、ユーザによる画像送信の停止操作が検出されると、制御部１００は、データ送信部１１０から表示装置２０に対する画像データの送信を停止する（Ｓ５２２）。
【００４２】
＜Ｓ５３０〜Ｓ５５０＞
さらに、ユーザ操作によって画像加工モードが選択されると、制御部１００は、表示部１２０に画像加工用操作パネルを表示する（Ｓ５３０）。この、画像加工用操作パネルの表示から、ユーザによる画像データの加工までの処理（Ｓ５３０〜Ｓ５５０）については、通常モードの処理と遅延送信モードの処理とで同様である。ただし、遅延送信モードにおいては、予め画像送信の停止操作がなされているため、携帯端末１０から表示装置２０に対する画像データの送信は行われない。
【００４３】
＜Ｓ５６０＞
次に、ユーザによる画像送信の再開操作が検出されると、制御部１００は、データ送信部１１０から表示装置２０に対する画像データの送信を再開する（Ｓ５６０）。画像送信モードが遅延送信モードである場合、上記のとおり、画像データバッファ１３０に記憶された最も古い画像データが送信されるよう、制御部１００による制御が行われる。
【００４４】
＜Ｓ６００＞
そして、ユーザが携帯端末１０を操作してミラーリング処理を終了すると、制御部１００はデータ送信部１１０から表示装置２０に対する画像データの送信を終了する（Ｓ６００）。
【００４５】
＜遅延送信モードでの画面表示の一例＞
図４は、画像送信モードが遅延送信モードであるときの、表示装置２０と携帯端末１０とのそれぞれに表示される画像の一例を示す図である。図４の左側には表示装置２０の表示画像が、図４の右側には携帯端末１０の表示画像が、それぞれ示されている
【００４６】
まず、遅延送信モードでミラーリング処理が実行されているとき、表示装置２０の表示部２２０には５秒過去の（時間表示が０：００：０５）、携帯端末１０の表示部１２０に表示された画像が表示されている（Ｓ５２１）。ここで、時間表示が０：００：１２のタイミングにおいて、携帯端末１０の表示部１２０には、ユーザが部分的に加工したい画像が表示される。そこで、ユーザは携帯端末１０からの画像送信を停止するため、タッチパネルを操作する。すると、表示装置２０の表示部２２０には時間表示が０：００：０７の画像が継続的に表示されるようになる（Ｓ５２２）。すなわち、制御部１００は、データ送信部１１０からの画像データの送信を停止する。また、表示装置２０では、携帯端末１０から最後に受信した画像データに基づく画像を表示部２２０に継続的に表示するよう処理する。
【００４７】
そして、ユーザは画像加工モードにするようタッチパネルをさらに操作する。制御部１００は、このユーザによる操作を検出し、表示部１２０に画像加工用操作パネル３００を表示する（Ｓ５３０）（時間表示が０：００：１２のタイミング）。ユーザは、この画像加工用操作パネル３００を含む部分のタッチパネルを操作し、画面に表示された内容の一部を塗りつぶす操作を実行する。これによって、表示部１２０にはユーザによる画像加工３１０を含む内容が表示される（時間表示が０：００：１４における画像表示）。このとき、制御部１００は、表示部１２０に表示される画像データの内容を変更するよう制御している。または制御部１００は、この変更された画像データを画像データバッファ１３０に記憶させるよう制御する（Ｓ５４０）。
【００４８】
そして、ユーザは画像の加工を終了したら、画像加工モードを終了し、画像データの送信を再開させるようタッチパネルを操作する（時間表示が０：００：１５のタイミング）。制御部１００は、このユーザによる操作を検出したら、表示部１２０に表示された画像加工用操作パネル３００の表示を終了する（Ｓ５５０）。そして、制御部１００は、表示部１２０に表示された画像を画像データバッファ１３０に記憶させる処理を再開する。画像データバッファ１３０に記憶された画像データが５秒分蓄積されたら、制御部１００は、表示装置２０に対する画像データの送信を再開するよう、データ送信部１１０を制御する。
【００４９】
このようなミラーリング処理を実行することで、ユーザが他人に見せたくない表示部１２０に表示された画像の一部を塗りつぶしたり、またはユーザが強調したい表示部１２０に表示された画像の一部を編集するなどしたりした画像データを、表示装置２０の表示部２２０に表示することができるようになる。
【００５０】
または、単に画像データの送信を一時的に停止することにより、ユーザが他人に見せたくない表示部１２０に表示された画像を見せないようなミラーリング処理を実行することも可能となる。
【００５１】
＜３．補足事項＞
以上、本発明の実施形態についての具体的な説明を行った。上記説明は、あくまで一実施形態としての説明であって、本発明の範囲はこの一実施形態に留まらず、当業者が把握可能な範囲にまで広く解釈されるものである。
【００５２】
上記実施形態では、ユーザ操作により画像データの送信停止、及び画像加工モードがそれぞれ別々に実行されていたが、ユーザによる一度の操作により画像データの送信を停止し、画像加工モードへの移行が同時に実行されてもよい。
【００５３】
また、上記実施形態では、画像データバッファ１３０に記憶される画像データの量を５秒分としたが、このデータ量は任意に変更可能である。ただし、ユーザによる画像データの送信停止処理を効果的にするために、３秒以上の画像データを一時的に記憶するようにすることが好ましい。また、画像データを長時間記憶する場合、画像データバッファ１３０に記憶されるデータ量が大きくなってしまうため、この画像データの量は１０秒分までに限定することが好ましい。
【００５４】
また、実施形態では携帯端末１０から表示装置２０に対する画像データの送信を停止している間、表示装置２０では最後に受信した画像データの表示を継続するよう処理していたが、この処理は任意に変更可能である。例えば、携帯端末１０は、ユーザによる画像データの送信停止操作がなされた時点で送信していた画像データを継続的に表示装置２０に送信し続けるよう、制御部１００が画像データバッファ１３０及びデータ送信部１１０を制御するなどの処理を行ってもよい。
【００５５】
また、携帯端末１０は、メール受信やエラーなどのメッセージボックスが表示部１２０に表示されたときに、表示装置２０に対する画像データの送信を自動的に停止するような処理を行ってもよい。
【００５６】
また、携帯端末１０は加速度センサなどを備える構成としてもよい。この場合、例えばユーザが携帯端末１０を素早く振る操作を行ったときに、制御部１００が携帯端末１０から表示装置２０に対する画像データの送信を停止するような処理を行ってもよい。または、ユーザが携帯端末１０のタッチパネルをフリックする操作を行ったり、携帯端末１０を素早く裏向けにする操作を行ったりしたときに、制御部１００が携帯端末１０から表示装置２０に対する画像データの送信を停止するような処理を行ってもよい。
【００５７】
＜３．本発明の特徴＞
以上、説明したような構成の画像送信装置または画像送信方法は、以下のような特徴を持つ。
【００５８】
本発明の画像送信装置（携帯端末１０）は、画像を表示可能に構成された表示部１２０に表示された画像データであって、過去の画像データを記憶可能に構成された画像データバッファ１３０と、画像データバッファ１３０に記憶された過去の画像データのうち、表示部１２０に表示されている画像データより所定時間（例えば５秒）過去の画像データを送信するよう制御可能に構成された画像データ送信制御部（制御部１００）と、画像データを外部機器（表示装置２０）に送信可能に構成されたデータ送信部１１０と、を備え、画像データ送信制御部（制御部１００）は、ユーザによる第１操作（画像データの送信停止操作）を検出したときに画像データの送信を停止可能に構成された（Ｓ５２２の処理）ことを特徴とする。
【００５９】
また、本発明の画像送信方法は、画像を表示可能に構成された表示部１２０に表示された画像データであって、過去の画像データを記憶する第１ステップ（Ｓ５２１）と、記憶された過去の画像データのうち、表示部１２０に表示されている画像データより所定時間（例えば５秒）過去の画像データを外部機器（表示装置２０）に送信する第２ステップ（Ｓ５２１）と、ユーザによる第１操作（画像データの送信停止操作）を検出したときに画像データの送信を停止する第３ステップと（Ｓ５２２）、を含むことを特徴とする。
【００６０】
上記構成の画像送信装置または画像送信方法によれば、外部機器（表示装置２０）に表示される画面は表示部１２０に表示された過去の画像データであり、表示部１２０に表示された他人に見せたくない画像を、ユーザ操作によって外部機器（表示装置２０）に送信しないよう制御することが可能となる。
【００６１】
また、本発明の画像送信装置（携帯端末１０）では、画像データ送信制御部（制御部１００）は、画像データの送信が停止された状態でユーザによる第２操作（画像データの送信再開操作）を検出したときに、該第２操作を検出したタイミング以降の画像データの送信を再開可能に構成された（Ｓ５６０の処理）ことを特徴とする。
【００６２】
上記構成の画像送信装置によれば、ユーザ操作によって、表示部１２０に表示された一定期間の画像だけを外部機器（表示装置２０）に送信しないよう制御することが可能となる。
【００６３】
また、本発明の画像送信装置（携帯端末１０）では、第１操作（画像データの送信停止操作）が検出されたタイミング（Ｓ５２２）から第２操作（画像データの送信再開操作）が検出されたタイミング（Ｓ５６０）の間に、ユーザによる操作に基づく画像データに対する画像加工（Ｓ５３０〜Ｓ５５０の処理による画像加工モードの処理）を実行可能に構成された画像加工制御部（制御部１００）をさらに備えることを特徴とする。
【００６４】
上記構成の画像送信装置によれば、ユーザによる画像加工が可能となり、表示部（１２０）に表示された画像の所定の部分を塗りつぶすなどの画像加工が行われた後の画像を外部機器（表示装置２０）に送信することが可能となる。
【産業上の利用可能性】
【００６５】
本発明は、映像を送信して、受信機である表示装置に該装置と同じ画像を表示する画像送信装置を含む画像送受信システムなどにおいて好適に適用される。
【符号の説明】
【００６６】
１０…携帯端末
１００…制御部
１１０…データ送信部
１２０…表示部
１３０…画像データバッファ
１４０…操作検出部
２０…表示装置
２００…制御部
２１０…データ受信部
２２０…表示部
３００…画像加工用操作パネル
３１０…ユーザによる画像加工
【図１】
2016012816.tif 000003
【図２】
2016012816.tif 000004
【図３】
2016012816.tif 000005
【図４】
2016012816.tif 000006